(57)【要約】【課題】高層建物に設置されている排水縦管の浄化に用いられる、運搬性及び固着物の除去性に優れた排水縦管浄化装置及びそれを用いた排水縦管浄化方法を提供する。【解決手段】中空を有する管状のシャフトユニットを複数連結して形成されたシャフトと、シャフトの高層階側の先端に連結された、排水口を備える掘削部材と、シャフトを昇降させるシャフト昇降機構と、シャフトの低層階側に連結され、中空を介して掘削部材に給水するための給水口と、シャフトを回転させる回転駆動機構とを備え、シャフトユニットには、逆止弁が配されている排水縦管浄化装置を用いる。【選択図】図１
2019210688.tif 000002
【特許請求の範囲】
【請求項１】
高層建物の排水縦管の内面を、低層階側に形成された開口部から高層階側に向かって浄化するための排水縦管浄化装置であって、
中空を有する管状のシャフトユニットを複数連結して形成されたシャフトと、
前記シャフトの高層階側の先端に連結された、排水口を備える掘削部材と、
前記シャフトを昇降させるシャフト昇降機構と、
前記シャフトの前記低層階側に連結され、前記中空を介して前記掘削部材に給水するための給水口と、
前記シャフトを回転させる回転駆動機構とを備え、
少なくとも１つの前記シャフトユニットには、前記給水する方向に対する反給水方向への通水を止める逆止弁が配されていることを特徴とする排水縦管浄化装置。
【請求項２】
前記開口部に接続される接続管をさらに備え、
前記シャフトは前記接続管を通過して前記排水縦管内に送り込まれ、前記接続管の前記シャフトが通過する部分に止水構造をさらに備える請求項１に記載の排水縦管浄化装置。
【請求項３】
前記接続管は、前記開口部に接続される主路と、前記主路から分岐する分岐路を備えた分岐管であり、
前記シャフトは前記主路を通過して前記排水縦管内に送り込まれる請求項２に記載の排水縦管浄化装置。
【請求項４】
前記分岐路に接続された固液分離手段をさらに備える請求項３に記載の排水縦管浄化装置。
【請求項５】
前記シャフト昇降機構は前記開口部の周囲に立設されたガイドレールに支持されている請求項１〜４の何れか１項に記載の排水縦管浄化装置。
【請求項６】
高層建物の排水縦管の内面を、低層階側から高層階側に向かって浄化する排水縦管浄化方法であって、
前記排水縦管の低層階側に、開口部を形成する工程と、
前記排水縦管内に、排水口を備える掘削部材を先端に連結された、中空を有する管状の少なくとも１つのシャフトユニットから構成されたシャフトを配する工程と、
前記シャフトを上昇させる工程と、
前記中空を介して前記掘削部材に給水する工程と、
前記シャフトを回転駆動機構により回転させる工程と、
上昇させた前記シャフトの下端に別の前記シャフトユニットを連結することにより前記シャフトを延長する工程と、を備え、
少なくとも１つの前記シャフトユニットには、前記給水する方向に対する反給水方向への通水を止める逆止弁が配されていることを特徴とする排水縦管浄化方法。
【発明の詳細な説明】
【技術分野】
【０００１】
本発明は、集合住宅等の高層建物に設置された排水縦管を浄化するための排水縦管浄化装置及び排水縦管浄化方法に関する。
【背景技術】
【０００２】
集合住宅等の高層建物の流し台、洗面所、浴室、トイレ等の設備から発生する排水は、各設備の配された室内から通じる横枝管を経て、各階を貫通する共用の排水縦管から汚水槽等に流される。
【０００３】
排水には多量の残渣や油脂等が含まれている。排水縦管の内壁には、排水の通過する時間の経過に伴い、排水中の残渣や油脂等が凝集して形成されたスラッジが徐々に固着し、管径を徐々に減少させる。スラッジをそのまま放置した場合にはスラッジが成長して排水縦管を閉塞させることもある。このような排水縦管の閉塞を防ぐために、高層建物に設置されている排水縦管は一定期間ごとに清掃される必要がある。
【０００４】
排水縦管を清掃する方法として、高圧水噴出ノズルを先端に取り付けた耐圧ホースを排水縦管内に挿入し、ノズルから噴射される高圧水を排水縦管の内壁に固着したスラッジに当てることにより、スラッジを崩すようにして清掃する方法が広く用いられている。
【０００５】
例えば、下記特許文献１は、高層建物の排水縦管を洗浄するための排水縦管洗浄装置であって、先端に高圧水噴出ノズルを備える耐圧ホースと、耐圧ホースを収容する直立性を有する可撓性管と、排水縦管の低層階側から高層階側に向かって、耐圧ホースを収容した可撓性管を直立状態で送り上げる少なくとも一対の送りローラと、耐圧ホースに接続されて、高圧水噴出ノズルから高圧水を噴射させるための高圧水洗浄機と、を備える排水縦管洗浄装置を開示する。
【０００６】
また、下記特許文献２は、高層建物の排水縦管を洗浄するための排水縦管洗浄装置であって、先端に高圧水噴出ノズルを備える耐圧ホースと、耐圧ホースに沿って配される直進性支持材と、排水縦管に形成された低層階側の開口部から上層階側に向かって、耐圧ホースに直進性支持材を配して形成された直進性支持材付耐圧ホースを送り上げる少なくとも一対の送りローラと、耐圧ホースに接続されて、高圧水噴出ノズルから高圧水を噴射させるための高圧水洗浄機と、を備える排水縦管洗浄装置を開示する。
【先行技術文献】
【特許文献】
【０００７】
【特許文献１】特開２０１６−６５４３９号公報
【特許文献２】特許第５７４８２５１号公報
【発明の概要】
【発明が解決しようとする課題】
【０００８】
特許文献１や特許文献２に開示されたような、低層階の排水縦管の開口から高圧水噴出ノズルを挿入し、耐圧ホースをホースリールから徐々に繰り出して、高圧水噴出ノズルから高圧水を噴出させてスラッジを崩しながら高層階に向けて進行させて、低層階側から高層階側に向かって洗浄する排水縦管洗浄装置及び排水縦管洗浄装置は、高圧水により崩されたスラッジにより作業中に排水縦管が閉塞することを抑制できるという利点を有する。しかしながら、このような方法においては、次のような問題があった。
【０００９】
特許文献１や特許文献２に開示された排水縦管洗浄装置は、直立性を有する可撓性管や可撓性を有する直進性支持材のように、何れも、可撓性の支持材で支持しながら耐圧ホースを直立させ、先端から噴射される高圧水により排水縦管内のスラッジを崩しながら、高圧水噴出ノズルを高層階に進行させるようにして洗浄が行われる。特許文献１や特許文献２に開示された排水縦管洗浄装置は、可撓性と直立性とを兼ね備える可撓性管や可撓性を有する直進性支持材を用いるものであるが、作業効率上の問題として、このような可撓性の部材を作業現場まで運搬することはリールに巻いた状態で運搬するとしても非常に嵩高くなり、一つの現場から他の現場へ移動するときに装置の運搬が煩雑になるという問題があった。
【００１０】
また、特許文献１や特許文献２に開示された排水縦管洗浄装置は高圧水により排水縦管内のスラッジを崩す装置であるが、錆や強固に硬い固着物は充分に除去できないという問題もあった。
【００１１】
本発明は、高層建物に設置されている排水縦管の浄化に用いられる、運搬性及び固着物の除去性に優れた排水縦管浄化装置及びそれを用いた排水縦管浄化方法を提供することを目的とする。
【課題を解決するための手段】
【００１２】
本発明の一局面は、高層建物の排水縦管の内面を、低層階側に形成された開口部から高層階側に向かって浄化するための排水縦管浄化装置であって、中空を有する管状のシャフトユニットを複数連結して形成されたシャフトと、シャフトの高層階側の先端に連結された、排水口を備える掘削部材と、シャフトを昇降させるシャフト昇降機構と、シャフトの低層階側に連結され、中空を介して掘削部材に給水するための給水口と、シャフトを回転させる回転駆動機構とを備え、少なくとも１つのシャフトユニットには、給水する方向に対する反給水方向への通水を止める逆止弁が配されている排水縦管浄化装置である。このような排水縦管浄化装置によれば、シャフト昇降機構及び中空を有する管状のシャフトユニットを順次継ぎ足して延長できるシャフトを用いることにより、高層建物の排水縦管内を低層階側から高層階側に向かって浄化を行うことができる。また、刃を外周に有するコアビットやドリル等の掘削部材をシャフトの先端に連結し、低層階側から高層階側に向かって直立状態で送り上げ、回転駆動機構によりシャフトに連結された掘削部材を回転させることにより、硬い固着物を掻き落とすことができる。また、掘削部材で掻き取られた固着物は、掘削部材の排水口から排出される水で洗い流される。また、シャフトにシャフトユニットを継ぎ足すときや、シャフトユニットを取り外してシャフトを短縮するときに、シャフトの内部に貯留された水が逆止弁で止水されるために、シャフトの中空に貯留された水が漏れ出すことを抑制できる。
【００１３】
また、排水縦管浄化装置においては、開口部に接続される接続管をさらに備え、シャフトは接続管を通過して排水縦管内に送り込まれ、接続管のシャフトが通過する部分に、止水構造をさらに備えることが、掻き取られた固着物を排水縦管の直下のシャフトを送り上げる作業をする付近に落下させにくくできるために作業性がよい点から好ましい。
【００１４】
また、接続管は、開口部に接続される主路，主路から分岐する分岐路を備えた分岐管であり、シャフトは主路を通過して排水縦管内に送り込まれることが好ましい。このような構成によれば、排水縦管内で落下する固着物や水を分岐管から排出させることができる。また、分岐管に接続された固液分離手段をさらに備える場合には、排水縦管内で落下した固着物を処理することが容易になる。
【００１５】
また、排水縦管浄化装置においては、シャフト昇降機構が開口部の周囲に立設されたガイドレールに支持されていることが、シャフトを昇降させやすい点から好ましい。
【００１６】
また、本発明の他の一局面は、高層建物の排水縦管の内面を、低層階側から高層階側に向かって浄化する排水縦管浄化方法であって、排水縦管の低層階側に、開口部を形成する工程と、排水縦管内に、排水口を備える掘削部材を先端に連結された、中空を有する管状の少なくとも１つのシャフトユニットから構成されたシャフトを配する工程と、シャフトを上昇させる工程と、中空を介して掘削部材に給水する工程と、シャフトを回転駆動機構により回転させる工程と、上昇させたシャフトの下端に別のシャフトユニットを連結することによりシャフトを延長する工程と、を備え、少なくとも１つのシャフトユニットには、給水する方向に対する反給水方向への通水を止める逆止弁が配されている排水縦管浄化方法である。
【発明の効果】
【００１７】
本発明の排水縦管浄化装置及び排水縦管浄化方法によれば、高層建物に設置されている排水縦管の浄化に用いられる、運搬性及び固着物の除去性に優れた排水縦管浄化装置及びそれを用いた排水縦管浄化方法を提供することを目的とする。
【図面の簡単な説明】
【００１８】
【図１】図１は、実施形態の、排水縦管Ｌを浄化するための排水縦管浄化装置１０の全体構成を示す模式説明図である。
【図２】図２は、管状のシャフトユニット１ａを順次継ぎ足して、先端にコアビット２を連結したシャフト１を延長する様子を説明する説明図である。
【図３】図３は、逆止弁の動作を説明するための説明図である。
【図４】図４は、排水縦管浄化方法の一実施形態を説明するための説明図である。
【図５】図５は、排水縦管浄化装置１０のコアビット２を高層階にまで送り上げたときの様子を示す説明図である。
【発明を実施するための形態】
【００１９】
本発明に係る排水縦管浄化装置及び排水縦管浄化方法の一実施形態を図面を参照しながら説明する。
図１は、本発明に係る一実施形態の、排水縦管Ｌを浄化するための排水縦管浄化装置１０の全体構成を説明するための模式説明図である。図１中、１は複数のシャフトユニット１ａを連結してなる管状のシャフトであり、２はシャフト１の先端に連結された排水口を有するコアビット（掘削部材）であり、３はシャフト１の中空部に給水するための給水口であり、４はシャフト１に接続されてシャフト１及びそれに連結されたコアビット２を回転させるための、モータ（回転駆動機構）６を備えたドリルである。ドリルとしては、例えば、ドリルの刃を冷却させるための給水口を備えたコアドリルを用いることができる。
【００２０】
また、５はラック・アンド・ピニオン機構によりシャフト１を昇降させるためのシャフト昇降機構であり、ラックＲを備えたガイドレール５ａと、昇降ハンドルＨ及び昇降ハンドルＨに連結されたピニオンＰを内部に備えるシャフト支持部５ｂとを備える。また、７は、シャフト１をガイドレール５ａで支えるために固定するためのクランプである。低層階において、シャフト昇降機構５はアンカーボルト１２，１２’により地面Ｇに、アンカーボルト１３，１３’により天井Ｃに固定されている。
【００２１】
８は分岐管であり、分岐管８は排水縦管Ｌに一端が接続される主路８ａ，主路８ａから分岐する分岐路８ｂ及び止水シール等の止水構造８ｃを備える。また、９は、分岐路８ｂから排出されるスラッジや錆等の固着物Ｓと水Ｗとを固液分離する固液分離装置である。固液分離装置９は、固着物Ｓを捕捉する網９ａと排水ポンプ９ｂと排水口９ｃとを備える。また、給水口３には、ホース１１ａを介して中空部に給水するための水加圧ポンプ１１が接続されている。
【００２２】
図２は、図１に示した、先端にコアビット２を連結したシャフト１の先端部付近を拡大した説明図であり、（ａ）は延長用のシャフトユニット１ａを連結する前のシャフト１、（ｂ）は延長用のシャフトユニット１ａを連結して延長されたシャフト１、（ｃ）は（ｂ）のタテ断面、（ｄ）は、（ｃ）の逆止弁ｖが配された付近を拡大した図である。
【００２３】
図２（ａ）を参照すれば、コアビット２は、円筒状であり、その円筒状の外周にダイヤモンド等の硬質材を先端に含む複数のブレード２ａを備える。また、コアビット２は、その円筒状の外周に少なくとも一つの排水口ｈを備える。
【００２４】
コアビット２は、図１に示すように、ドリル４に接続され、ドリル４の回転駆動により回転するシャフト１とともに回転する。回転するコアビット２は、排水縦管Ｌ内の内壁に付着した固着物をブレード２ａで掻き落とす。また、コアビット２には、管状のシャフト１の通水可能な中空Ｔを通じて給水される。コアビット２に供給された水は、排水口ｈから排出される。排水口ｈから排出された水は、ブレード２ａに剥離された固着物を洗い流し、固着物とともに排水縦管内を落下する。また、少なくとも１つのシャフトユニット１ａの端部には、給水する方向に対して逆向きの通水を止める逆止弁ｖが配設されている。
【００２５】
図２（ｂ）を参照すれば、コアビット２を連結したシャフト１は、延長用のシャフトユニット１ａを連結して延長されている。シャフトユニット１ａは、その一端に逆止弁ｖを配されており、また、一端に雄ねじｍ、他端に雌ねじｆが形成されている。そして、図２（ａ）に示すように、コアビット２を連結したシャフト１の端部の雌ねじｆにシャフトユニット１ａの雄ねじｍを螺合させることにより、シャフト１はシャフトユニット１ａの長さ分だけ延長されて固定される。なお、シャフトユニットの連結は、ねじ構造による螺合に限られず、例えば、はめ込み式継手、固定式クランプ、固定式ジョイント、固定式カプラ等のような延長後のシャフトにモータの回転力を伝達できる連結構造であれば特に限定なく用いられる。
【００２６】
図２（ｃ）は、図２（ｂ）の縦断面を示し、図２（ｄ）は、図２（ｃ）のシャフトユニット１ａの一端に配された逆止弁ｖの付近を拡大した縦断面図である。図２（ｄ）に示すように、逆止弁ｖは、弁座ｖ１、弁本体ｖ２、弁本体ｖ２の中心から立設する軸ｖ３、軸ｖ３に挿通されたコイルばねｖ４、軸ｖ３の垂直方向の可動域を規制する弁ガイドｖ５、とを備える。なお、逆止弁の構造はこのような構造に限定されず、逆止弁機能を備える限り、特に限定されない。また、逆止弁は、少なくとも１つ以上のシャフトユニットに配されていればよいが、全てのシャフトユニットに配されていることが好ましい。
【００２７】
逆止弁ｖは給水する方向に対して逆向きの反給水方向への通水を止める。図３を参照すれば、給水時には（ａ）に示すように白抜矢印で示す給水方向に水圧が付与されることにより軸ｖ３に挿通されたコイルばねｖ４が圧縮される。コイルばねｖ４が圧縮されて弁座ｖ１と弁本体ｖ２とからなる弁が開放され、逆止弁ｖを水が通過する。一方、給水が止められたときには、（ｂ）に示すように給水方向に付与された水圧が除去されることにより軸ｖ３に挿通されたコイルばねｖ４がその弾性力により復原する。そして、コイルばねｖ４の復原により弁座ｖ１と弁本体ｖ２とからなる弁が閉鎖され、逆止弁ｖで通水が止められる。
【００２８】
図１を参照すれば、排水縦管浄化装置１０には、シャフト１を昇降させるための、ラックＲを備えたガイドレール５ａ及び昇降ハンドルＨに連結されたピニオンＰを内部に備えるシャフト支持部５ｂを備える。ガイドレール５ａには平板状の棒に歯切りをしたラックＲが形成されており、シャフト支持部５ｂの昇降ハンドルＨにはラックＲに噛合するピニオンＰが接続されている。そして、ラック・アンド・ピニオン機構により、昇降ハンドルＨを一方向に回転させることによりシャフト１を支持するシャフト支持部５ｂが上昇し、昇降ハンドルＨを逆の方向に回転させることによりシャフト支持部５ｂが下降する。シャフト昇降機構５は、排水縦管Ｌの開口部の周囲に配置されて、昇降ハンドルＨの操作により、低層階側から高層階側に向かって、シャフト１を上昇させ、または、高層階側から低層階側に向かって、シャフト１を下降させる。なお、本実施形態においては、ラック・アンド・ピニオン機構を用いたシャフト昇降機構５を一例として挙げたが、シャフト昇降機構としてはラック・アンド・ピニオン機構を用いたものに限られず、一組の送りローラで挟持してハンドルを回すことにより挟持されたシャフトが昇降するような機構等、昇降機構は特に限定されない。また、昇降機構の駆動力も特に限定されず、人がハンドルを回転させる代わりに電動モータを用いるような方法等駆動力が供給されるものであれば、特に限定されない。
【００２９】
図１を参照すれば、コアビット２に給水しながらコアビット２を回転させて固着物Ｓを破壊したとき、破壊された固着物Ｓは水Ｗで流されて排水縦管Ｌ内を落下する。このとき、シャフト１を送り込む部分を止水構造８ｃでシールすることにより、落下してきた固着物Ｓ及び水Ｗが分岐管８の直下に漏出することを抑制できる。
【００３０】
次に、上述したような排水縦管浄化装置１０を用いた排水縦管浄化方法の一実施形態について図面を参照しながら説明する。
【００３１】
図４は、本実施形態の排水縦管浄化方法の各工程を説明するための説明図である。
【００３２】
本実施形態の排水縦管浄化方法においては、図４（ａ）に示すように、はじめに、排水縦管Ｌの低層階に開口部を形成し、開口部の周囲に排水縦管浄化装置１０を設置する。具体的には、排水縦管Ｌの低層階、好ましくは１階で排水縦管Ｌを切断して一部を切り出し、開口部Ｍを形成する。そして、図４（ｂ）に示すように、排水縦管Ｌの切断により形成された開口部Ｍに分岐管８を接続し、開口部Ｍの近傍にシャフト昇降機構５を固定し、さらに、コアビット２を連結したシャフト１等のその他の部材を接続して排水縦管浄化装置１０を設置する。このとき、作業性の観点から、コアビット２を予め分岐管８の内部に配しておくことが好ましい。
【００３３】
そして、図４（ｃ）に示すように、昇降ハンドルＨを回転させることにより、先端にコアビット２を連結したシャフト１を上昇させて、排水縦管Ｌ内に侵入させる。このときモータ６を駆動させてシャフト１を介してコアビット２を回転させ、さらに、シャフト１の給水口３からシャフト１の中空に、水加圧ポンプ１１により給水する。シャフト１の給水口３からシャフト１の中空に給水するときには、逆止弁ｖの弁座ｖ１と弁本体ｖ２とから構成される弁が開放されて通水が止められないために、水はコアビット２へ供給され、供給された水はコアビット２の外周に設けられた一つの排水口ｈから排出される。このようにして排水縦管Ｌ内のコアビット２の対面する範囲の内壁の固着物等が、回転するコアビット２のブレード２ａで掻き取られて清浄化される。また、掻き取られた固着物は、コアビット２の排水口ｈから排出される水で流される。
【００３４】
そして、コアビット２を連結したシャフト１を上昇させた状態で、モータ６の駆動を、一旦、停止させ、バルブ１４を閉にして水加圧ポンプ１１による給水も停止させる。そして、シャフト１をクランプ７で固定する。そして、図４（ｄ）に示すように、ドリル４を連結する図略のカップリング部材からシャフト１を外し、ドリル４及びシャフト昇降機構５のみを下降させる。シャフト１からドリル４を外したとき、シャフト１の内部に貯留された水は逆止弁ｖで止められるために、シャフト１から漏れない。
【００３５】
そして、図４（ｅ）に示すように、クランプ７で固定されたシャフト１の末端に延長用のシャフトユニット１ａを連結し、シャフトユニット１ａの他端をドリル４にカップリング部材で連結する。そして、シャフト１の給水口３からシャフト１の中空に給水する。そして、クランプ７からシャフト１を解放する。そして、図４（ｆ）に示すように、先端にコアビット２を連結されたシャフト１をコアビット２を回転させ、さらに、シャフト１の中空に給水しながら上昇させる。このようにして、さらに高層の、排水縦管Ｌ内のコアビット２に対面する範囲の内壁の固着物がコアビット２のブレード２ａで掻き取られて清浄化される。
【００３６】
そして、図４（ｇ）に示すように、コアビット２を連結したシャフト１を上昇させた状態で、モータ６の駆動を停止させ、給水も停止させた状態で、シャフト１をクランプ７で固定し、シャフト１をドリル４からを外し、ドリル４及びシャフト昇降機構５のみを下降させる。そして、図４（ｈ）に示すように、クランプ７で固定されたシャフト１の末端に延長用のシャフトユニット１ａをさらに連結し、その他端をドリル４に連結し、また、シャフト１の中空に給水する。そして、再び、シャフト１を回転させることによりコアビット２を回転させ、また、シャフト１の中空に給水しながら、シャフト１を上昇させる。このようにして、さらに高層の、排水縦管Ｌ内のコアビット２に対面する範囲の内壁の固着物がコアビット２のブレード２ａで掻き取られて清浄化される。
【００３７】
本実施形態の排水縦管浄化方法においては、図４（ｃ）または図４（ｆ）に示したように、コアビット２を連結したシャフト１の中空に給水し、回転させながらシャフト１を上昇させ、図４（ｄ）または図４（ｇ）に示したように、上昇させたシャフト１をクランプ７で固定し、ドリル４及びシャフト昇降機構５のみを下降させ、図４（ｅ）または図４（ｈ）に示したように、上昇させたシャフト１の末端に延長用のシャフトユニット１ａを連結して継ぎ足した後、さらに、図４（ｃ）または図４（ｆ）と同様にして、コアビット２を連結したシャフト１の中空に給水し、回転させながらシャフト１を上昇させさせるような作業を、コアビット２が低層階側から目的とする高層階に到達するまで必要な回数繰り返す。このようにシャフトユニット１ａを継ぎ足しながら回転するコアビット２により排水縦管内の内壁の固着物の掻き取りを順次進めることにより、低層階側からの作業で、高層階側まで排水縦管内の内壁の固着物の掻き取りを可能にする。
【００３８】
このようにして、例えば、図５に示すように、１階（１Ｆ）から、２Ｆ、・・・１１Ｆと、排水縦管Ｌ内において、回転するコアビット２を連結したシャフト１を順次シャフトユニット１ａを継ぎ足しながら低層階側から高層階側に向かって送り上げることができる。
【００３９】
図５のコアビット２付近の拡大図に示すように、排水縦管Ｌの内壁面に固着したスラッジや錆等の固着物Ｓは、回転するコアビット２のダイヤモンド等の硬質材を先端に含む複数のブレード２ａに接触することにより、破壊または研削される。また、破壊または研削された固着物Ｓは、コアビット２の外周に設けられた一つの排水口ｈから排出される中空を通じて供給された水Ｗにより洗い流される。このように、排水縦管Ｌの固着物Ｓを低層階側から高層階側に向かって破壊または研削し、給水されてコアビット２の排水口ｈから排出される水Ｗによって洗い流すことにより、落下する固着物Ｓが落下途上の固着物Ｓにせき止められ、その部分を閉塞させるような問題が生じなくなる。
【００４０】
そして、図５のコアビット２付近の拡大図に示すように、排水縦管Ｌの内壁面に固着した固着物Ｓは、排水縦管Ｌ内を水Ｗとともに落下する。そして、落下する固着物Ｓと水Ｗとは、図１に示したように、分岐管８の主路８ａと分岐路８ｂとの分岐点に達したときに分岐路８ｂから排出され、固液分離装置９で固液分離された後、処理される。固液分離装置９を配設することにより、分岐路８ｂから排出された固着物Ｓと水Ｗを分離することができる。そして、固液分離装置９で分離された水Ｗ排水口９ｃから排出される。また、固液分離装置９で分離された固着物Ｓは回収された後、産業廃棄物として処理される。
【００４１】
そして、排水縦管の内面を浄化した後は、シャフト１の下端に位置するシャフトユニット１ａを順次取り外していくことによりシャフト１を短縮しながら解体する。このとき、シャフトユニット１ａに配された逆止弁ｖは、シャフト１の中空に貯留された水を止水するために取り外しの際に水が一気に漏れ出さない。
【００４２】
以上、本発明に係る排水縦管浄化装置及び排水縦管浄化方法の実施形態を詳しく説明したが、本発明に係る排水縦管浄化装置及び排水縦管浄化方法は上述した実施形態に限定されるものではなく、本発明の要旨を逸脱しない範囲において適宜変更して用いられてもよい。
【００４３】
例えば、上述した実施形態においては、コアビット２として、円筒状の外周面に排水口ｈを有するような形態を説明した。このような形態の代わりに、コアビットとして、円筒状の先端から排水するような形態であってもよい。
【産業上の利用可能性】
【００４４】
本発明の排水縦管浄化装置、及び排水縦管浄化方法によれば、高層建物に設置されている排水縦管において、内壁にこびりついたような硬質のスラッジや錆等の固着物を効率的に浄化することができる。
【符号の説明】
【００４５】
１            シャフト
１ａ          シャフトユニット
２            コアビット
２ａ          ブレード
３            給水口
４            ドリル
５            シャフト昇降機構
５ａ          ガイドレール
５ｂ          シャフト支持部
６            モータ（回転駆動機構）
７            クランプ
８            分岐管
８ａ          主路
８ｂ          分岐路
８ｃ          止水構造
９            固液分離装置
９ａ          網
９ｂ          排水ポンプ
９ｃ          排水口
１０          排水縦管浄化装置
１１          水加圧ポンプ
１１ａ        ホース
１２, １２’  アンカーボルト
１３, １３’  アンカーボルト
１４          バルブ
Ｃ            天井
Ｇ            地面
ｈ            排水口
Ｈ            昇降ハンドル
Ｌ            排水縦管
Ｍ            開口部
Ｐ            ピニオン
Ｒ            ラック
Ｔ            中空
Ｓ            固着物
ｖ            逆止弁
Ｗ            水
【図１】
2019210688.tif 000003
【図２】
2019210688.tif 000004
【図３】
2019210688.tif 000005
【図４】
2019210688.tif 000006
【図５】
2019210688.tif 000007